(57)【要約】【課題】面積の大きなスピーカを電子機器と共に容易に携帯可能とする。【解決手段】スピーカ１においては長手方向両端は鉤型に加工されているため、液晶ディスプレイ３の両端部分に鉤型の部分を嵌めてスピーカ１を液晶ディスプレイ３に装着することができる。そして、スピーカ１を使用する際には、スピーカユニット２０−１，２０−２を開く。ＤＶＤプレーヤ２とスピーカ１を持ち運ぶ際には、液晶ディスプレイ３の表示画面を覆うようにスピーカユニット２０−１，２０−２を回転させた後、液晶ディスプレイ３を折り畳む。すると、液晶ディスプレイ３とＤＶＤプレーヤ２の操作部との間にスピーカユニット２０が位置し、スピーカ１の張り出しが少なく、スピーカ１とＤＶＤプレーヤ２とが一体化されて持ち運びが容易となる。【選択図】図４
2009302667.tif 000002
【特許請求の範囲】
【請求項１】
電子機器に装着される筐体部と、
前記筐体部に取り付けられたシート状のスピーカユニットと
を有し、
前記筐体部が装着された電子機器を前記スピーカユニットで被覆可能なスピーカ装置。
【請求項２】
前記スピーカユニットは可撓性を有し、前記スピーカユニットは曲げられて前記電子機器を被覆可能であることを特徴とする請求項１に記載のスピーカ装置。
【請求項３】
前記筐体部は第１筐体部と、第２筐体部と、前記第１筐体部と前記第２筐体部との間で前記第１筐体部と前記第２筐体部に固着された伸縮する弾性部材とを有し、
前記スピーカユニットは、前記第１筐体部に取り付けられた第１スピーカユニットと、前記第２筐体部に取り付けられた第２スピーカユニットとを有する請求項１または請求項２に記載のスピーカ装置。
【請求項４】
粘着性を有し電子機器に貼り付けられるシートと、
前記筐体部に取り付けられたシート状で可撓性を有するスピーカユニットと
を有し、
前記シートが貼り付けられた電子機器を前記スピーカユニットを曲げて被覆可能なスピーカ装置。
【請求項５】
板状の底面部と、
板状で前記底面部に離間して対向し、側面を軸にして回転可能な上面部と、
前記上面部において前記底面部と対向する面に設けられ、シート状で可撓性を有するスピーカユニットと
を有し、
前記底面部と前記上面部との間に位置する電子機器を前記スピーカユニットを曲げて被覆可能なスピーカ装置。
【請求項６】
管状で中空部分に電子機器が挿入される筐体部と、
前記筐体部に取り付けられたシート状で可撓性を有するスピーカユニットと
を有し、
前記筐体部の中空部分に挿入された電子機器を前記スピーカユニットを曲げて被覆可能なスピーカ装置。
【発明の詳細な説明】
【技術分野】
【０００１】
本発明は、電子機器用の外付けスピーカの技術に関する。
【背景技術】
【０００２】
液晶ディスプレイのように薄型の表示装置を備えた携帯型電子機器においては、特許文献１，２に開示されているように平板状のスピーカを表示装置の側面から表示装置内部に収納可能なものや、特許文献３に開示されているように薄型のスピーカを本体内部に収納可能なものがある。これらの構成においては、スピーカを電子機器内に収められるため、箱形をした外付けのスピーカを使用する場合と比較して、スピーカを容易に持ち運ぶことができる。
また、特許文献４に開示されているように、薄型のスピーカを液晶ディスプレイの側面や背面に取り付けて持ち運びを容易としたものや、特許文献５に開示されているように、電子機器に着脱可能なホルダ内にスピーカを収納し、ホルダを電子機器に装着して持ち運びを容易にしたスピーカがある。これらの構成においても、スピーカを電子機器と一体とできるため、箱形をした外付けのスピーカを使用する場合と比較して、携帯して持ち運ぶのが容易となっている。
【０００３】
【特許文献１】特開２００２−３５９８９０号公報
【特許文献２】特開平１１−２０２９７３号公報
【特許文献３】特開２０００−１７２３７３号公報
【特許文献４】特開２００３−３２３２３０号公報
【特許文献５】特開２００４−９６２８９号公報
【発明の開示】
【発明が解決しようとする課題】
【０００４】
さて、特許文献１〜５に開示されている構成によれば、スピーカを電子機器と共に容易に持ち運ぶことができる。しかしながら、近年の携帯型電子機器においては小型化や薄型化が求められており、スピーカを表示装置内や本体内に収納するという特許文献１〜３に開示された構成であると、スピーカを収納するためのスペースが必要となり、小型化や薄型化が難しいという問題がある。
また、特許文献４に開示された構成においては、外付けされるスピーカは使用しない時にも側面または背面に張り出すため、高音質を得るために面積の大きなスピーカを採用しようとすると張り出しが大きくなり、携帯しての持ち運びが難しくなる。
また、特許文献５に開示された構成においては、ホルダ内における収納スペースには限りがあるため、ここでも面積の大きなスピーカを採用して高音質の音を出すことが難しい。
【０００５】
本発明は、上述した背景の下になされたものであり、面積の大きなスピーカを電子機器と共に容易に携帯可能とする技術を提供することを目的とする。
【課題を解決するための手段】
【０００６】
上述した課題を解決するために本発明は、電子機器に装着される筐体部と、前記筐体部に取り付けられたシート状のスピーカユニットとを有し、前記筐体部が装着された電子機器を前記スピーカユニットで被覆可能なスピーカ装置を提供する。
【０００７】
本発明においては、前記スピーカユニットは可撓性を有し、前記スピーカユニットは曲げられて前記電子機器を被覆可能であってもよい。
また、本発明においては、前記筐体部は第１筐体部と、第２筐体部と、前記第１筐体部と前記第２筐体部との間で前記第１筐体部と前記第２筐体部に固着された伸縮する弾性部材とを有し、前記スピーカユニットは、前記第１筐体部に取り付けられた第１スピーカユニットと、前記第２筐体部に取り付けられた第２スピーカユニットとを有していてもよい。
【０００８】
また、本発明は、粘着性を有し電子機器に貼り付けられるシートと、前記筐体部に取り付けられたシート状で可撓性を有するスピーカユニットとを有し、前記シートが貼り付けられた電子機器を前記スピーカユニットを曲げて被覆可能なスピーカ装置を提供する。
【０００９】
また、本発明は、板状の底面部と、板状で前記底面部に離間して対向し、側面を軸にして回転可能な上面部と、前記上面部において前記底面部と対向する面に設けられ、シート状で可撓性を有するスピーカユニットとを有し、前記底面部と前記上面部との間に位置する電子機器を前記スピーカユニットを曲げて被覆可能なスピーカ装置を提供する。
【００１０】
また、本発明は、管状で中空部分に電子機器が挿入される筐体部と、前記筐体部に取り付けられたシート状で可撓性を有するスピーカユニットとを有し、前記筐体部の中空部分に挿入された電子機器を前記スピーカユニットを曲げて被覆可能なスピーカ装置を提供する。
【発明の効果】
【００１１】
本発明によれば、面積の大きなスピーカを電子機器と共に容易に携帯可能とすることができる。
【発明を実施するための最良の形態】
【００１２】
［第１実施形態］
図１は、本発明の一実施形態に係るスピーカ１の外観図である。このスピーカ１は、電子機器に装着する際に電子機器に嵌め合わされる筐体部１０と、スピーカユニット２０−１，２０−２を有している。
【００１３】
筐体部１０は、長方形の金属板の長手方向両端を二度折り曲げて両端部分を鉤型に加工したものである。なお、以下の説明においては、筐体部１０において折り曲げられていない部分を底面部１１、底面部１１から折り曲げられた部分を側壁部１２、側壁部１２から折り曲げられて底面部１１と対向している部分を上壁部１３と称する。
上壁部１３の縁部分にはヒンジ３０が取り付けられており、スピーカユニット２０−１，２０−２は、このヒンジ３０に取り付けられて図中の矢印方向に回転可能になっている。
スピーカユニット２０−１，２０−２は、シート状で曲げることができる（可撓性がある）静電型スピーカである。なお、本実施形態においては、スピーカユニット２０−１とスピーカユニット２０−２の構成は同じであるため、両者を区別する必要が特に無い場合は枝番の記載を省略する。
【００１４】
ここで、スピーカユニット２０の構成について説明する。図２はスピーカユニットの外観を模式的に示した図、図３はスピーカユニット２０の断面図である。図に示したように、このスピーカユニット２０は、振動体１００、電極２００Ｕ，電極２００Ｌ、スペーサ３００Ｕ，３００Ｌ、およびクッション材４００Ｕ，４００Ｌとを有している。
なお、本実施形態においては、電極２００Ｕ，２００Ｌの構成は同じであり、スペーサ３００Ｕ，３００Ｌの構成は同じであり、クッション材４００Ｕ，４００Ｌの構成は同じである。このため、各部材において両者を区別する必要が特に無い場合は「Ｌ」および「Ｕ」の記載を省略する。また、スピーカユニット２０−１，２０−２の厚みは数ｍｍ程度であるが、図中において各構成要素の寸法は、構成要素の形状を容易に理解できるように実際の寸法とは異ならせてある。また、図中、「○」の中に「・」が記載されたものは図面の裏から表に向かう矢印を意味するものとする。
【００１５】
まず、スピーカユニット２０を構成する各部について説明する。振動体１００は、例えば、ＰＥＴ（polyethylene terephthalate、ポリエチレンテレフタレート）またはＰＰ（polypropylene、ポリプロピレン）などの透明フィルムの表面に、酸化インジウムスズなどの透明な導電膜を形成したものであり、その厚さは、数μｍ〜数十μｍ程度の厚さで透明となっている。
【００１６】
スペーサ３００は、透明な絶縁体の合成樹脂で形成されており、その形状は矩形の枠の形状となっている。なお、本実施形態においては、スペーサ３００のＸ方向およびＹ方向の長さと、電極２００のＸ方向およびＹ方向の長さは同じとなっている。また、スペーサ３００Ｕとスペーサ３００ＬのＺ方向の高さは、いずれも同じとなっている。
【００１７】
電極２００は、ＰＥＴなどの透明な樹脂シートの表面に酸化インジウムスズなどの導電性を有する透明な導電層を形成したものであり、矩形で板状に形成されている。また、電極２００においては、音響透過性を確保するために、電極２００の表面から裏面に貫通する貫通孔２１０が所定間隔で複数設けられている。なお、本実施形態においては、電極２００のＸ方向およびＹ方向の長さと、振動体１００のＸ方向およびＹ方向の長さは同じとなっている。
【００１８】
クッション材４００は、中綿に熱を加えて圧縮したものであって空気の通過が可能となっており、その形状は矩形となっている。クッション材４００は、外部から力を加えられると変形し、外部から加えられた力が取り除かれると元の形状に戻る。
【００１９】
スピーカユニット２０においては、振動体１００の周縁部がスペーサ３００Ｕとスペーサ３００Ｌとの間に張力が掛からない、所謂テンションレスの状態で挟まれている。また、スピーカユニット２０においては、電極２００Ｕはスペーサ３００Ｕに固定され、電極２００Ｌはスペーサ３００Ｌに固定されてており、電極２００Ｕと電極２００Ｌは対向している。
そして、枠形のスペーサ３００Ｌの内側で振動体１００と電極２００Ｌとの間にはクッション材４００Ｌが配置されており、クッション材４００Ｌは振動体１００と電極２００Ｌとに接触している。また、枠形のスペーサ３００Ｕの内側で振動体１００と電極２００Ｕとの間にはクッション材４００Ｕが配置されており、クッション材４００Ｕは振動体１００と電極２００Ｕとに接触している。
【００２０】
次に、スピーカユニット２０の電気的構成について見ると、図３に示したように、スピーカユニット２０は変圧器５００、外部から音響信号が入力される入力部６００、振動体１００に対して直流バイアスを与えるバイアス電源７００とを備えている。そしてバイアス電源７００は、振動体１００と、変圧器５００の出力側の中点と接続されており、２つの電極２００はそれぞれ変圧器５００の出力側の一端および他端に接続されている。この構成においては、入力部６００に音響信号が入力されると入力された音響信号に応じた電圧が電極２００および振動体１００にそれぞれ印加される。
入力部６００に入力された音響信号が変圧器５００に供給され、変圧器５００から印加される電圧によって対向する電極２００Ｕと電極２００Ｌとの間に電位差が生じると、振動体１００を図中のＺ方向側またはＺ方向と反対の方向（−Ｚ方向）側へ引き寄せる静電力が振動体１００に働く。
【００２１】
例えば、入力部６００に音響信号が入力され、電極２００Ｕにプラスの電圧が印加され、電極２００Ｌにマイナスの電圧が印加されると、振動体１００にはバイアス電源７００によりプラスの電圧が印加されているため、振動体１００において電極２００Ｕと電極２００Ｌとの間にある部分は、プラスの電圧が印加されている電極２００Ｕと反発する一方、マイナスの電圧が印加されている電極２００Ｌに吸引されて電極２００Ｌ側へ変位する。
【００２２】
次に電極２００Ｕにマイナスの電圧が印加され、電極２００Ｌにプラスの電圧が印加されると、振動体１００はプラスの電圧が印加されている電極２００Ｌと反発する一方、マイナスの電圧が印加されている電極２００Ｕに吸引されて電極２００Ｕ側へ変位する。
【００２３】
このように、振動体１００が音響信号に応じて変位し(撓み)、その変位方向が逐次変わることによって振動となり、その振動状態（振動数、振幅、位相）に応じた音が振動体１００から発生する。発生した音は、少なくとも電極２００Ｕ側または電極２００Ｌ側の一方を通り抜けてスピーカユニット２０の外部に放射される。
【００２４】
（スピーカ１の使用方法）
次に、上述した構成のスピーカ１の使用方法について説明する。
まず、スピーカ１においては筐体部１０の長手方向両端は鉤型に加工されているため、図４に示したように、折り畳み可能な携帯型のＤＶＤプレーヤ２の液晶ディスプレイ３の両端部分に鉤型の部分を嵌めてスピーカ１を液晶ディスプレイ３に装着することができる。
そして、スピーカ１を使用する際には、図４において二点鎖線で示したようにスピーカユニット２０−１，２０−２を開き、ＤＶＤプレーヤ２の音声出力端子と入力部６００とを接続してＤＶＤプレーヤ２から出力される音声信号を入力部６００に入力する。ＤＶＤプレーヤから出力された音声信号が入力部６００に入力されると、入力された音声信号に対応した音がスピーカユニット２０−１，２０−２から出力される。ここで、スピーカユニット２０−１，２０−２の面積は、ＤＶＤプレーヤ２に内蔵できる程度の小型のスピーカユニットより大きくできるため、内蔵スピーカより高音質で迫力のある音を出力することができる。
【００２５】
次に、ＤＶＤプレーヤ２とスピーカ１を持ち運ぶ際には、図４において実線で示したように液晶ディスプレイ３の表示画面を覆う（被覆する）ようにスピーカユニット２０−１，２０−２を回転させた後、図５に示したようにＤＶＤプレーヤ２の液晶ディスプレイ３を折り畳む。
すると、液晶ディスプレイ３とＤＶＤプレーヤ２の操作部との間にスピーカユニット２０が位置し、スピーカ１の張り出しが少なく、スピーカ１とＤＶＤプレーヤ２とが一体化されて持ち運びが容易となる。なお、本実施形態においては、液晶ディスプレイ３を折り畳む際にスピーカユニット２０が液晶ディスプレイ３の表示画面を覆うため、液晶ディスプレイ３を折り畳んだ時に表示画面がスピーカユニット２０で保護されて表示画面が傷つく虞がない。
【００２６】
［第２実施形態］
次に、本発明の第２実施形態について説明する。
図６は、本実施形態に係るスピーカ１Ａの外観図である。このスピーカ１Ａは、電子機器に装着する際に電子機器に取り付けられる筐体部１０Ａと、スピーカユニット２０−１，２０−２を有している。
【００２７】
筐体部１０Ａは、長方形の金属板の長手方向両端を直角に折り曲げ加工したものであり、一方の面には粘着性を有するシート状の粘着ゲルシート４０が貼り付けられている。なお、以下の説明においては、筐体部１０Ａにおいて折り曲げられていない部分を底面部１１、底面部１１から粘着ゲルシート４０が張られている側へ直角に折り曲げられた部分を側壁部１２と称する。
【００２８】
スピーカユニット２０−１，２０−２は、第１実施形態と同じシート状で可撓性のある静電型スピーカである。筐体部１０Ａの側壁部１２の縁部分にはヒンジ３０が取り付けられており、スピーカユニット２０−１，２０−２は、このヒンジ３０に取り付けられて図中の矢印方向に回転可能になっている。
【００２９】
（スピーカ１Ａの使用方法）
次に、上述した構成のスピーカ１Ａの使用方法について説明する。
まず、スピーカ１Ａにおいては筐体部１０Ａの長手方向両端は同じ方向に曲げられており、筐体部１０Ａを断面で見ると凹んだ形状となっているため、図７に示したように、凹んだ部分に液晶ディスプレイ３を嵌め、凹んだ部分にある粘着ゲルシート４０でスピーカ１Ａを液晶ディスプレイ３に装着することができる。そして、スピーカ１Ａを使用する際には、図７において二点鎖線で示したようにスピーカユニット２０−１，２０−２を開き、ＤＶＤプレーヤ２の音声出力端子と入力部６００とを接続してＤＶＤプレーヤ２から出力される音声信号を入力部６００に入力すると、入力された音声信号に対応した音がスピーカユニット２０から出力される。
【００３０】
次に、ＤＶＤプレーヤ２とスピーカ１Ａを持ち運ぶ際には、図７において実線で示したように、液晶ディスプレイ３の表示画面を覆う（被覆する）ようにスピーカユニット２０−１，２０−２を回転させた後、第１実施形態と同様にＤＶＤプレーヤ２の液晶ディスプレイ３を折り畳む。
本実施形態においても、液晶ディスプレイ３とＤＶＤプレーヤ２の操作部との間にスピーカユニット２０−１，２０−２が位置し、スピーカの張り出しが少なく、スピーカ１とＤＶＤプレーヤ２とが一体化され、持ち運びが容易となる。
また、本実施形態においても、液晶ディスプレイ３を折り畳む際にスピーカユニット２０−１，２０−２が液晶ディスプレイ３の表示画面を覆うため、液晶ディスプレイ３を折り畳んだ時に表示画面がスピーカユニット２０で保護され、表示画面が傷つく虞がない。
なお、液晶ディスプレイ３を折り畳む際には、スピーカユニット２０−１，２０−２を広げたまま液晶ディスプレイ３を折り畳み、折り畳まれたＤＶＤプレーヤ２の下面側にスピーカユニット２０−１，２０−２を曲げてスピーカユニット２０−１，２０−２でＤＶＤプレーヤ２を覆う（被覆する）ようにしてＤＶＤプレーヤ２とスピーカ１Ａとを持ち運ぶようにしてもよい。
【００３１】
［第３実施形態］
次に、本発明の第３実施形態について説明する。
図８は本実施形態に係るスピーカ１Ｂの外観図、図９はスピーカ１Ｂの断面図である。
このスピーカ１Ｂは、シート状で曲げることができる（可撓性がある）スピーカユニット２０Ａと、粘着ゲルシート４０を有しており、矩形の粘着ゲルシート４０は、長方形のスピーカユニット２０Ａの長手方向中央部分においてスピーカユニット２０Ａの一方の表面に配置されている。
【００３２】
スピーカユニット２０Ａは、図に示したように振動体１００−１，１００−２、電極２００Ｕ，電極２００Ｌ、スペーサ３００Ｕ，３００Ｌ、およびクッション材４００Ｕ，４００Ｌとを有している。
スピーカユニット２０Ａが第１実施形態のスピーカユニットと異なる点は、振動体を２つ有している点であり、この２つの矩形の振動体１００−１，１００−２は図９に示したように間隔を空けてスピーカユニット２０Ａの長手方向中央部分を除いた部分に配置されている。なお、本実施形態においては、振動体１００−１と振動体１００−２はいずれもバイアス電源７００に接続されている。
【００３３】
（スピーカ１Ｂの使用方法）
次に、上述した構成のスピーカ１Ｂの使用方法について説明する。
まず、スピーカ１Ｂにおいては中央部分に粘着ゲルシート４０が配置されているため、この粘着ゲルシート４０を液晶ディスプレイ３の背面側に貼り付けて、スピーカ１Ｂを図１０に示したように液晶ディスプレイ３に装着することができる。
そして、スピーカ１Ｂを使用する際には、図１０に示したようにスピーカ１Ｂを平面にし、ＤＶＤプレーヤ２の音声出力端子と入力部６００とを接続してＤＶＤプレーヤ２から出力される音声信号を入力部６００に入力する。すると、入力された音声信号に対応した音がスピーカユニット２０から出力される。
【００３４】
次に、ＤＶＤプレーヤ２とスピーカ１Ｂを持ち運ぶ際には、図１１に示したように液晶ディスプレイ３の表示画面を覆う（被覆する）ようにスピーカユニット２０Ａを曲げた後、液晶ディスプレイ３を折り畳む。液晶ディスプレイ３を折り畳むと、液晶ディスプレイ３とＤＶＤプレーヤ２の操作部との間にスピーカユニット２０Ａが位置し、スピーカ１Ｂの張り出しが少なく、スピーカ１ＢとＤＶＤプレーヤ２とが一体化されて持ち運びが容易となる。
また、本実施形態においても、液晶ディスプレイ３を折り畳む際にスピーカユニット２０Ａが液晶ディスプレイ３の表示画面を覆うため、液晶ディスプレイ３を折り畳んだ時に表示画面がスピーカユニット２０Ａで保護され、表示画面が傷つく虞がない。
なお、液晶ディスプレイ３を折り畳む際には、スピーカユニット２０Ａを広げたまま液晶ディスプレイ３を折り畳み、折り畳まれたＤＶＤプレーヤ２の下面側にスピーカユニット２０Ａを曲げてスピーカユニット２０ＡでＤＶＤプレーヤ２を覆う（被覆する）ようにしてＤＶＤプレーヤ２とスピーカ１Ｂとを持ち運ぶようにしてもよい。
【００３５】
［第４実施形態］
次に、本発明の第４実施形態について説明する。
図１２は本実施形態に係るスピーカ１Ｃの外観図である。このスピーカ１Ｃは、スピーカユニット２０Ａと、書類を綴じるバインダの形状をした筐体部１０Ｂを有している。
【００３６】
筐体部１０Ｂは、底面部１１、上面部１４、ヒンジ３０、スピーカユニット２０Ａを駆動する変圧器５００、入力部６００およびバイアス電源７００が収納される収納部１５で構成されている。
底面部１１と上面部１４は合成樹脂を板状に形成したものであり、上面部１４は収納部１５の上面側にヒンジ３０を介して取り付けられており、収納部１５の下面側には上面部１４から間隔を空けて底面部１１が取り付けられている。
また、収納部１５は合成樹脂を中空の箱形に形成したものであり、内部に変圧器５００、入力部６００およびバイアス電源７００を有している。
スピーカユニット２０Ａは、第３実施形態のスピーカユニット２０Ａと同じであり、粘着ゲルシート４０で上面部１４に貼り付けられている。
【００３７】
（スピーカ１Ｃの使用方法）
次に、上述した構成のスピーカ１Ｃの使用方法について説明する。
まず、ＤＶＤプレーヤ２を使用する際には、図１３に示したように上面部１４を開いてスピーカユニット２０Ａを広げる。そして、液晶ディスプレイ３を開き、ＤＶＤプレーヤの音声出力端子と入力部６００とを接続してＤＶＤプレーヤ２から出力される音声信号を入力部６００に入力する。
【００３８】
次に、ＤＶＤの試聴を終えてＤＶＤプレーヤ２とスピーカ１Ｂを持ち運ぶ際には、図１４に示したように液晶ディスプレイ３の表示画面を覆う（被覆する）ようにスピーカユニット２０Ａを曲げた後、液晶ディスプレイ３と上面部１４と一緒に折り畳む。上面部１４と液晶ディスプレイ３を折り畳むと、ＤＶＤプレーヤ２の液晶ディスプレイ３と操作部との間にスピーカユニット２０が位置し、スピーカ１ＣとＤＶＤプレーヤ２とが一体化されて持ち運びが容易となる。
また、本実施形態においても、液晶ディスプレイ３を折り畳む際にスピーカユニット２０Ａが液晶ディスプレイ３の表示画面を覆う（被覆する）ため、液晶ディスプレイ３を折り畳んだ時に表示画面がスピーカユニット２０Ａで保護され、表示画面が傷つく虞がない。
【００３９】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００４０】
第１実施形態のスピーカ１については、図１５に示したように筐体部１０を底面部１１で２つに分割し、分割された各筐体の鉤型部分を液晶ディスプレイ３の端部に嵌めて液晶ディスプレイ３に装着するようにしてもよい。
また、この構成においては、図１６に示したように伸縮するシート状の弾性部材１６の両端に、分割後の一方の底面部１１と他方の底面部１１とを接着してもよい。
この構成によれば、分割された各筐体を液晶ディスプレイ３に装着すると、装着する時に延ばされた弾性部材１６が収縮し、側壁部１２が液晶ディスプレイ３の中央側に押しつけられて固定される。
なお、上述した第２実施形態においても、上述した変形例と同様に筐体部１０Ａを底面部１１で２つに分割し、分割された各筐体を粘着ゲルシート４０により液晶ディスプレイ３に装着するようにしてもよい。
【００４１】
本発明においては、図１７に示したスピーカ１Ｄのように透明で薄い合成樹脂のシートを矩形の筒状にして筐体部１０Ｃを形成し、筐体部１０Ｃの背面にスピーカユニット２０Ａを粘着ゲルシート４０で取り付けてもよい。
そして、筐体部１０Ｃの内側に液晶ディスプレイ３を挿入し、スピーカ１Ｄを使用する際にはスピーカユニット２０Ａを広げて音を放射し、ＤＶＤプレーヤ２を持ち運ぶ際にはスピーカユニット２０Ａを曲げてＤＶＤプレーヤ２を覆い（被覆し）、ＤＶＤプレーヤ２と一体化して持ち運ぶようにしてもよい。
【００４２】
上述した本発明に係るスピーカが装着されるのは折り畳み可能な携帯型のＤＶＤプレーヤに限定されるものではなく、例えば、ノート型のパーソナルコンピュータや、ＰＤＡ（Personal Digital Assistant）、携帯電話機など他の電子機器であってもよい。
また、液晶ディスプレイを備えた電子機器だけでなく、携帯型の楽音再生装置など映像を表示しない電子機器に本発明に係るスピーカを装着するようにしてもよい。
また、携帯型の電子機器だけでなく、据え置き型の液晶ディスプレイや楽音再生装置などの電子機器に本発明に係るスピーカを装着するようにしてもよい。
【図面の簡単な説明】
【００４３】
【図１】本発明の一実施形態に係るスピーカ１の外観図である。
【図２】同実施形態に係るスピーカユニット２０の外観の模式図である。
【図３】スピーカユニット２０の断面と電気的構成の模式図である。
【図４】スピーカ１を液晶ディスプレイに装着した時の図である。
【図５】スピーカ１が装着された液晶ディスプレイを折り畳んだ時の図である。
【図６】本発明の第２実施形態に係るスピーカ１Ａの外観図である。
【図７】スピーカ１Ａを液晶ディスプレイに装着した時の図である。
【図８】本発明の第３実施形態に係るスピーカ１Ｂの外観図である。
【図９】スピーカ１Ｂの断面と電気的構成の模式図である。
【図１０】スピーカ１Ｂを液晶ディスプレイに装着した時の図である。
【図１１】スピーカ１Ｂのスピーカユニット２０Ａを曲げた時の図である。
【図１２】本発明の第４実施形態に係るスピーカ１Ｃの外観図である。
【図１３】スピーカ１Ｃを使用中の図である。
【図１４】スピーカ１Ｃのスピーカユニット２０Ａを曲げた時の図である。
【図１５】本発明の変形例に係るスピーカの外観図である。
【図１６】本発明の変形例に係るスピーカの外観図である。
【図１７】本発明の変形例に係るスピーカの外観図である。
【符号の説明】
【００４４】
１０，１０Ａ〜１０Ｃ・・・筐体部、２０，２０Ａ，２０−１，２０−２・・・スピーカユニット、３０・・・ヒンジ、４０・・・粘着ゲルシート、１００・・・振動体、２００Ｕ，２００Ｌ・・・電極、３００Ｕ，３００Ｌ・・・スペーサ、４００Ｕ，４００Ｌ・・・クッション材、５００・・・変圧器、６００・・・入力部、７００・・・バイアス電源
【図１】
2009302667.tif 000003
【図２】
2009302667.tif 000004
【図３】
2009302667.tif 000005
【図４】
2009302667.tif 000006
【図５】
2009302667.tif 000007
【図６】
2009302667.tif 000008
【図７】
2009302667.tif 000009
【図８】
2009302667.tif 000010
【図９】
2009302667.tif 000011
【図１０】
2009302667.tif 000012
【図１１】
2009302667.tif 000013
【図１２】
2009302667.tif 000014
【図１３】
2009302667.tif 000015
【図１４】
2009302667.tif 000016
【図１５】
2009302667.tif 000017
【図１６】
2009302667.tif 000018
【図１７】
2009302667.tif 000019